(57)【要約】【課題】薄型化、小型軽量化に適した構造の光ピックアップ装置及び光ディスク装置を提供することを目的とする。【解決手段】スピンドルモータと、光学系を構成するキャリッジと、制御回路を構成する回路基板と、前記キャリッジを構成する部材に前記回路基板から電力供給と信号伝送を行うフレキシブルプリントケーブルにより構成される光ピックアップ装置であって、前記フレキシブルプリントケーブルは、前記キャリッジ内の対物レンズを中心として前記キャリッジ内アクチュエータの反対側かつ前記キャリッジの前記スピンドルモータ側から前記スピンドルモータ側へ向かって引き出された後、Ｕ字状に折り返して前記キャリッジの前記スピンドルモータとは反対側に引き出されて前記回路基板に接続されるとともに、前記光ピックアップモジュールは厚み４．８ｍｍ〜７．１ｍｍにした。【選択図】  図１
2004355772.tif 000002
【特許請求の範囲】
【請求項１】
スピンドルモータと、光学系を構成し前記スピンドルモータに対して近づいたり離れたりするように移動自在に設けられたキャリッジと、制御回路を構成する回路基板と、前記キャリッジと前記回路基板とを電気的に接続するフレキシブルプリントケーブルとを備えた光ピックアップ装置であって、前記キャリッジから前記フレキシブルプリントケーブルは、前記スピンドルモータ側へ向かって引き出された後、折り返して前記回路基板に接続されるとともに、最大厚みが４．８ｍｍ〜７．１ｍｍであることを特徴とする光ピックアップ装置。
【請求項２】
フレキシブルプリントケーブルは、キャリッジの厚み方向に折り返されていることを特徴とする請求項１記載の光ピックアップ装置。
【請求項３】
フレキシブルプリントケーブルは、キャリッジの少なくとも一部を挟み込むように折り返されていることを特徴とする請求項２記載の光ピックアップ装置。
【請求項４】
キャリッジから導出されるフレキシブルプリントケーブルは、前記キャリッジのディスク装着面側から引き出されたことを特徴とする請求項１記載の光ピックアップ装置。
【請求項５】
フレキシブルプリントケーブルはキャリッジのディスク装着面側とは反対側に向かって折り返されていることを特徴とする請求項４記載の光ピックアップ装置。
【請求項６】
キャリッジの内で前記キャリッジの移動方向とは略垂直方向の一方の端部からフレキシブルプリントケーブルが導出されていることを特徴とする請求項１記載の光ピックアップ装置。
【請求項７】
キャリッジを駆動させる駆動手段を更に設け、キャリッジの一方の端部側には回路基板が設けられており、他方の端部には前記駆動手段を配置したことを特徴とする請求項１記載の光ピックアップ装置。
【請求項８】
フレキシブルプリントケーブルにおいて、折り返されて湾曲した部分に、他の部分よりも幅の狭い部分を設けたことを特徴とする請求項１記載の光ピックアップ装置。
【請求項９】
スリット或いは貫通孔の少なくとも一方を１ないし複数設けることで、他の部分よりも幅を狭くしたことを特徴とする請求項８記載の光ピックアップ装置。
【請求項１０】
スリットはキャリッジの移動方向に沿って設けられたことを特徴とする請求項９記載の光ピックアップ装置。
【請求項１１】
フレキシブルプリントケーブルにキャリッジの移動方向に沿ってしかもスピンドルモータと反対側に突出した突出部を設けたことを特徴とする請求項１記載の光ピックアップ装置。
【請求項１２】
フレキシブルプリントケーブルにキャリッジの移動方向に沿ってしかもスピンドルモータと反対側に突出した突出部を設け、前記突出部には導体パターンを非配設としたことを特徴とする請求項１記載の光ピックアップ装置。
【請求項１３】
フレキシブルプリントケーブルは、キャリッジとの第１の接続部と、回路基板との第２の接続部と、前記第１の接続部と第２の接続部との間に設けられた延設部とを備えており、前記延設部はキャリッジの移動方向に沿って配置されるとともに、前記延設部の側方に前記第２の接続部が設けられ、前記延設部と前記第２の接続部の間に前記キャリッジの移動方向に沿って凹部を設けたことを特徴とする請求項１記載の光ピックアップ装置。
【請求項１４】
フレキシブルプリントケーブルとは別の第２のフレキシブルプリントケーブルをキャリッジに接続し、前記第２のフレキシブルプリントケーブルはスピンドルモータとは反対側に導出され、前記スピンドルモータ側に折り返されていることを特徴とする請求項１記載の光ピックアップ装置。
【請求項１５】
スピンドルモータと、光学系を構成し前記スピンドルモータに対して近づいたり離れたりするように移動自在に設けられたキャリッジと、前記キャリッジを支持する第１及び第２のシャフトと、前記キャリッジを移動させる駆動力を得る駆動モータと、前記駆動モータの駆動力を伝達するギヤ群と、前記ギヤ群によって駆動し前記キャリッジに駆動力を伝達する駆動シャフトと、前記各部を保持するフレームとを備えた光ピックアップ装置と、制御回路を構成する回路基板と、前記キャリッジと前記回路基板とを電気的に接続するフレキシブルプリントケーブルとを有し、前記キャリッジから前記フレキシブルプリントケーブルは、前記スピンドルモータ側へ向かって引き出された後、折り返して前記回路基板に接続されるとともに、前記光ピックアップ装置の最大厚みが４．８ｍｍ〜７．１ｍｍであることを特徴とする光ディスク装置。
【請求項１６】
キャリッジを挟むように駆動モータと回路基板を配置し、前記キャリッジの回路基板側端部からフレキシブルプリントケーブルを導出させたことを特徴とする請求項１５記載の光ディスク装置。
【請求項１７】
フレキシブルプリントケーブルにおいて、折り返されて湾曲した部分に、他の部分よりも幅の狭い部分を設けたことを特徴とする請求項１５記載の光ディスク装置。
【請求項１８】
フレキシブルプリントケーブルにキャリッジの移動方向に沿ってしかもスピンドルモータと反対側に突出した突出部を設けたことを特徴とする請求項１５記載の光ディスク装置。
【請求項１９】
フレキシブルプリントケーブルにキャリッジの移動方向に沿ってしかもスピンドルモータと反対側に突出した突出部を設け、前記突出部には導体パターンを非配設としたことを特徴とする請求項１５記載の光ディスク装置。
【請求項２０】
フレキシブルプリントケーブルは、キャリッジとの第１の接続部と、回路基板との第２の接続部と、前記第１の接続部と第２の接続部との間に設けられた延設部とを備えており、前記延設部はキャリッジの移動方向に沿って配置されるとともに、前記延設部の側方に前記第２の接続部が設けられ、前記延設部と前記第２の接続部の間に前記キャリッジの移動方向に沿って凹部を設けたことを特徴とする請求項１５記載の光ディスク装置。
【請求項２１】
フレキシブルプリントケーブルとは別の第２のフレキシブルプリントケーブルをキャリッジに接続し、前記第２のフレキシブルプリントケーブルはスピンドルモータとは反対側に導出され、前記スピンドルモータ側に折り返されていることを特徴とする請求項１５記載の光ディスク装置。
【発明の詳細な説明】
【０００１】
【発明の属する技術分野】
本発明は、パーソナルコンピュータ，モバイル型のコンピュータなどの電子機器、特に携帯型の電子機器に好適の用いられる光ディスク装置及びその光ディスク装置に搭載される光ピックアップ装置に関するものである。
【０００２】
【従来の技術】
近年、可搬型パーソナルコンピュータの薄型化、小型軽量化が進展している。また、これら可搬型パーソナルコンピュータが使用する記憶容量は著しく増加し、大容量の外部記憶装置を必要とする。ＣＤ（低密度）、ＤＶＤ（高密度）の光ディスクは大容量で取り扱いが容易である点を活かして可搬型パーソナルコンピュータの外部記憶装置に使用される。その結果、光ディスク装置は、薄型化、小型軽量化が要求される。特に、媒体に光学的にアクセスする光ピックアップモジュールを小型に構成することが光ディスク装置を小型軽量にする鍵となる。
【０００３】
以下、従来の光ピックアップモジュールについて図に基づき説明する。図１０は従来の光ディスク装置であり、図１１は従来の光ピックアップモジュールの斜視図であり、図１２は従来の光ピックアップモジュールの分解斜視図である。
【０００４】
図１０に示すように光ディスク装置はピックアップモジュール１をトレイ２に組み込み、さらにそれを光ディスク筐体３で保持する構造になっている。ピックアップモジュール１のディスク側の面には、トレイ２の面とほぼ同一面上でカバー４が設けられている。
【０００５】
ピックアップモジュール１は図１１に示すようにベース１ａにスピンドルモータ１ｂ、メインシャフト１ｃ、サブシャフト１ｄを組込み、その２本のシャフトにキャリッジ５を支持させて光ディスクの半径方向への直線移動ができるように構成されている。フレキシブルプリントケーブル６はキャリッジ５に取り付けられて、光ディスクの半径方向のスピンドルモータ１ｂから離れる向きに向けて引き出されベース１ａの外形の内側でＵ字に折り曲げ反転されている。ベース１ａはピックアップモジュール１を構成する部品を固定する構造物であり、フレーム形状となっている。キャリッジ５が移動した際にベース１ａのフレキシブルプリントケーブル６に近接する部分１ｅはフレキシブルプリントケーブル６のＵ字曲げ部６ａとの干渉を防ぐ為のクリアランスを空ける形状が必要である。よってベース１ａのキャリッジ５が移動した際フレキシブルプリントケーブル６に近接する部分１ｅは、キャリッジ５がスピンドルモータ１ｂから最も離れた位置にある時のフレキシブルプリントケーブル６の外形形状にクリアランスを加えた位置で外周を形成するため、ベース１ａは大きな形状となりピックアップモジュール１の薄型化、小型化が困難な構造となっている。
【０００６】
図１２に示すように、フレキシブルプリントケーブル６はキャリッジ５に組み込まれアクチュエータ５ａ、光レーザ５ｂ、調整用ボリューム５ｃ等への電源・信号ラインとしての機能を果たし、ピックアップモジュール１に組み込まれた状態の時にＵ字の折り曲げがなされて接続される。
【０００７】
フレキシブルプリントケーブル６引き出しの先行例としては、（特許文献１）等がある。
【０００８】
【特許文献１】
特開平０４−３０３７４号公報
【０００９】
【発明が解決しようとする課題】
光ピックアップ装置は薄型化、小型軽量化が要求されている現状ではあるが、以上に説明した従来の光ピックアップはキャリッジから引き出されたフレキシブルプリントケーブルがピックアップモジュールの外形ラインに向かって延長されるためにベースとの干渉を起こす課題があり、このことを防止するためにベースとフレキシブルプリントケーブル間に十分なクリアランスを確保することが必要であった。このためにベースの外形が大きくなり、ピックアップモジュールを小型化、軽量化にすることは困難であった。
【００１０】
本発明は前記従来の課題を解決するもので、小型軽量の光ピックアップ装置及び光ディスク装置を提供することを目的としている。
【００１１】
【課題を解決するための手段】
かかる課題を解決する為に本発明は、スピンドルモータと、光学系を構成するキャリッジと、制御回路を構成する回路基板と、前記キャリッジを構成する部材に前記回路基板から電力供給と信号伝送を行うフレキシブルプリントケーブルにより構成される光ピックアップ装置であって、前記フレキシブルプリントケーブルは、前記キャリッジ内の対物レンズを中心として前記キャリッジ内アクチュエータの反対側かつ前記キャリッジの前記スピンドルモータ側から前記スピンドルモータ側へ向かって引き出された後、Ｕ字状に折り返して前記キャリッジの前記スピンドルモータとは反対側に引き出されて前記回路基板に接続されるとともに、前記光ピックアップ装置の厚みは４．８ｍｍ〜７．１ｍｍとした。
【００１２】
【発明の実施の形態】
本発明の請求項１に記載の発明は、スピンドルモータと、光学系を構成し前記スピンドルモータに対して近づいたり離れたりするように移動自在に設けられたキャリッジと、制御回路を構成する回路基板と、前記キャリッジと前記回路基板とを電気的に接続するフレキシブルプリントケーブルとを備えた光ピックアップ装置であって、前記キャリッジから前記フレキシブルプリントケーブルは、前記スピンドルモータ側へ向かって引き出された後、折り返して前記回路基板に接続されるとともに、最大厚みが４．８ｍｍ〜７．１ｍｍであることを特徴とする光ピックアップ装置で、ピックアップモジュール内におけるフレキシブルプリントケーブルの配置が光ディスクの内周部に置かれるためピックアップモジュールは光ディスクの外周方向に対してキャリッジとベース間のスペースを最小限にでき、光ピックアップ装置全体を小型軽量にすることができる。
【００１３】
本発明の請求項２に記載の発明は、フレキシブルプリントケーブルは、キャリッジの厚み方向に折り返されていることを特徴とする請求項１記載の光ピックアップ装置で、フレキシブルプリントケーブル引き回しのスペースを小さく出来、より小型化した設計を行なう事ができる。
【００１４】
本発明の請求項３に記載の発明は、フレキシブルプリントケーブルは、キャリッジの少なくとも一部を挟み込むように折り返されていることを特徴とする請求項２記載の光ピックアップ装置で、フレキシブルプリントケーブルの折り返し径を大きくとる事ができ、フレキシブルプリントケーブルの反力が小さくなる為、キャリッジの移動が安定する。
【００１５】
本発明の請求項４に記載の発明は、キャリッジから導出されるフレキシブルプリントケーブルは、前記キャリッジのディスク装着面側から引き出されたことを特徴とする請求項１記載の光ピックアップ装置で、ディスク装着面の裏面側に取り付けられた回路基板に結線する際のフレキシブルプリントケーブルの折り返し位置の構成が容易となる。
【００１６】
本発明の請求項５に記載の発明は、フレキシブルプリントケーブルはキャリッジのディスク装着面側とは反対側に向かって折り返されていることを特徴とする請求項４記載の光ピックアップ装置で、ディスク装着面の裏面側に取り付けられた回路基板に結線する際のフレキシブルプリントケーブルの折り返し位置の構成が容易となる。
【００１７】
本発明の請求項６に記載の発明は、キャリッジの内で前記キャリッジの移動方向とは略垂直方向の一方の端部からフレキシブルプリントケーブルが導出されていることを特徴とする請求項１記載の光ピックアップ装置で、他部品との配置構成が容易となり、フレキシブルプリントケーブルと他部品の干渉防止のクリアランスの確保が容易となる。
【００１８】
本発明の請求項７に記載の発明は、キャリッジを駆動させる駆動手段を更に設け、キャリッジの一方の端部側には回路基板が設けられており、他方の端部には前記駆動手段を配置したことを特徴とする請求項１記載の光ピックアップ装置で、駆動手段や、回路基板のスペースを少なくする事ができ、光ピックアップ装置を小型化する事ができる。
【００１９】
本発明の請求項８に記載の発明は、フレキシブルプリントケーブルにおいて、折り返されて湾曲した部分に、他の部分よりも幅の狭い部分を設けたことを特徴とする請求項１記載の光ピックアップ装置で、フレキシブルプリントケーブルからカバーや筐体に加えられる反力が低減し、キャリッジが移動する際の負荷が低減される為、キャリッジが移動する動作が安定する。
【００２０】
本発明の請求項９に記載の発明は、スリットは略平行に並んだ複数のスリットであることを特徴とする請求項４記載の光ピックアップ装置で、フレキシブルプリントケーブルからカバーや筐体に加えられる反力が低減するとともに安定し、キャリッジが移動する際の負荷が低減される為、キャリッジが移動する動作が安定するとともに、フレキシブルプリントケーブルの設計自由度が向上する。
【００２１】
本発明の請求項１０に記載の発明は、スリットはキャリッジの移動方向に沿って設けられたことを特徴とする請求項９記載の光ピックアップ装置で、フレキシブルプリントケーブルからカバーや筐体に加えられる反力が低減するとともに安定し、キャリッジが移動する際の負荷が低減される為、キャリッジが移動する動作が安定するとともに、キャリッジ移動時のフレキシブルプリントケーブルの動きを安定させる事ができる。
【００２２】
本発明の請求項１１に記載の発明は、フレキシブルプリントケーブルにキャリッジの移動方向に沿ってしかもスピンドルモータと反対側に突出した突出部を設けたことを特徴とする請求項１記載の光ピックアップ装置で、キャリッジの全移動範囲においてフレキシブルプリントケーブルの端部がキャリッジに引っかかるのを防止する事ができる。
【００２３】
本発明の請求項１２に記載の発明は、フレキシブルプリントケーブルにキャリッジの移動方向に沿ってしかもスピンドルモータと反対側に突出した突出部を設け、前記突出部には導体パターンを非配設としたことを特徴とする請求項１記載の光ピックアップ装置で、キャリッジの全移動範囲においてフレキシブルプリントケーブルの端部がキャリッジに引っかかるのを防止する事ができる。
【００２４】
本発明の請求項１３に記載の発明は、フレキシブルプリントケーブルは、キャリッジとの第１の接続部と、回路基板との第２の接続部と、前記第１の接続部と第２の接続部との間に設けられた延設部とを備えており、前記延設部はキャリッジの移動方向に沿って配置されるとともに、前記延設部の側方に前記第２の接続部が設けられ、前記延設部と前記第２の接続部の間に前記キャリッジの移動方向に沿って凹部を設けたことを特徴とする請求項１記載の光ピックアップ装置で、回路基板の配置自由度が増し、より小型化した設計を行なう事ができる。
【００２５】
本発明の請求項１４に記載の発明は、フレキシブルプリントケーブルとは別の第２のフレキシブルプリントケーブルをキャリッジに接続し、前記第２のフレキシブルプリントケーブルはスピンドルモータとは反対側に導出され、前記スピンドルモータ側に折り返されていることを特徴とする請求項１記載の光ピックアップ装置で、ケーブル幅が足りず必要なケーブルパターンが形成できない場合にケーブルパターンを形成する事ができる。
【００２６】
本発明の請求項１５に記載の発明は、スピンドルモータと、光学系を構成し前記スピンドルモータに対して近づいたり離れたりするように移動自在に設けられたキャリッジと、前記キャリッジを支持する第１及び第２のシャフトと、前記キャリッジを移動させる駆動力を得る駆動モータと、前記駆動モータの駆動力を伝達するギヤ群と、前記ギヤ群によって駆動し前記キャリッジに駆動力を伝達する駆動シャフトと、前記各部を保持するフレームとを備えた光ピックアップ装置と、制御回路を構成する回路基板と、前記キャリッジと前記回路基板とを電気的に接続するフレキシブルプリントケーブルとを有し、前記キャリッジから前記フレキシブルプリントケーブルは、前記スピンドルモータ側へ向かって引き出された後、折り返して前記回路基板に接続されるとともに、前記光ピックアップ装置の最大厚みが４．８ｍｍ〜７．１ｍｍであることを特徴とする光ディスク装置で、ピックアップモジュール内におけるフレキシブルプリントケーブルの配置が光ディスクの内周部に置かれるためピックアップモジュールは光ディスクの外周方向に対してキャリッジとベース間のスペースを最小限にでき、ピックアップ装置全体を小型軽量にすることができる為、小型軽量で薄型の光ディスク装置を提供する事ができる。
【００２７】
本発明の請求項１６に記載の発明は、キャリッジを挟むように駆動モータと回路基板を配置し、前記キャリッジの回路基板側端部からフレキシブルプリントケーブルを導出させたことを特徴とする請求項１５記載の光ディスク装置で、駆動手段や、回路基板のスペースを少なくする事ができ、光ピックアップ装置を小型化する事ができる為、小型軽量で薄型の光ディスク装置を提供する事ができる。
【００２８】
本発明の請求項１７に記載の発明は、フレキシブルプリントケーブルにおいて、折り返されて湾曲した部分に、他の部分よりも幅の狭い部分を設けたことを特徴とする請求項１５記載の光ディスク装置で、フレキシブルプリントケーブルからカバーや筐体に加えられる反力が低減する為、キャリッジが移動する際の負荷が低減されることから、キャリッジが移動する動作が安定し、動作の安定した光ディスク装置を提供する事ができる。
【００２９】
本発明の請求項１８に記載の発明は、フレキシブルプリントケーブルにキャリッジの移動方向に沿ってしかもスピンドルモータと反対側に突出した突出部を設けたことを特徴とする請求項１５記載の光ディスク装置で、キャリッジの全移動範囲においてフレキシブルプリントケーブルの端部がキャリッジに引っかかるのを防止する事ができる為、動作の安定した光ディスク装置を提供する事ができる。
【００３０】
本発明の請求項１９に記載の発明は、フレキシブルプリントケーブルにキャリッジの移動方向に沿ってしかもスピンドルモータと反対側に突出した突出部を設け、前記突出部には導体パターンを非配設としたことを特徴とする請求項１５記載の光ディスク装置で、キャリッジの全移動範囲においてフレキシブルプリントケーブルの端部がキャリッジに引っかかるのを防止する事ができる為、動作の安定した光ディスク装置を提供する事ができる。
【００３１】
本発明の請求項２０に記載の発明は、フレキシブルプリントケーブルは、キャリッジとの第１の接続部と、回路基板との第２の接続部と、前記第１の接続部と第２の接続部との間に設けられた延設部とを備えており、前記延設部はキャリッジの移動方向に沿って配置されるとともに、前記延設部の側方に前記第２の接続部が設けられ、前記延設部と前記第２の接続部の間に前記キャリッジの移動方向に沿って凹部を設けたことを特徴とする請求項１５記載の光ディスク装置で、回路基板の配置自由度が増し、より小型軽量化化した光ディスク装置を提供する事ができる。
【００３２】
本発明の請求項２１に記載の発明は、フレキシブルプリントケーブルとは別の第２のフレキシブルプリントケーブルをキャリッジに接続し、前記第２のフレキシブルプリントケーブルはスピンドルモータとは反対側に導出され、前記スピンドルモータ側に折り返されていることを特徴とする請求項１５記載の光ディスク装置で、ケーブル幅が足りず必要なケーブルパターンが形成できない場合にケーブルパターンを形成する事ができるため、より複雑な配線に対応でき、より高性能な小型軽量光ディスク装置を提供する事ができる。
【００３３】
（実施の形態）
図１は本発明の一実施の形態における光ピックアップの斜視図、図２は図１におけるアクチュエータ５ａの要部詳細図、図３は本発明の一実施の形態におけるピックアップモジュール１の要部斜視図、図４は図３の側面図でありフレキシブルプリントケーブル６のＵ字の形状を表わす図、図５は本発明の一実施の形態におけるピックアップモジュールの斜視図、図６は図５の側面図、図７は光ディスクをピックアップモジュールに装着した際の斜視図、図８は本発明の一実施の形態におけるピックアップモジュールのフレキシブルプリントケーブルの別の形態を示す図、図９は本発明の一実施の形態におけるピックアップモジュールのフレキシブルプリントケーブルの別の形態を示す図である。
【００３４】
フレキシブルプリントケーブル６はキャリッジ５に組み込まれ光レーザ５ｂ、調整用ボリューム５ｃ、アクチュエータ５ａと接続されている。ここでフレキシブルプリントケーブル６は他の平板状結線手段も可能であるが、フレキシブルプリントケーブルが好適である。フレキシブルプリントケーブル６はキャリッジ５内の対物レンズ５ｄを中心としてアクチュエータ５ａとは反対側の端部で、かつキャリッジ５のスピンドルモータ１ｂ側から引き出されＵ字に折り返される。Ｕ字に折り曲げたフレキシブルプリントケーブル６は、キャリッジ５に対してディスクとは反対側に、好ましくはキャリッジ５の移動軸に略平行に引き出され、制御回路等構成する回路基板に接続される。
【００３５】
図２において、フレキシブルプリントケーブル６はワイヤ５ｅを通じてコイル５ｆに電流を流すためにサスペンションホルダー５ｇへ固定されている。対物レンズ５ｄはボビン５ｈに固定されワイヤ５ｅによって支持されサスペンションホルダー５ｇに接続されている。
【００３６】
図３においてスピンドルモータ１ｂは光ディスクを回転させる役割を持ち、対物レンズ５ｄを搭載したキャリッジ５は、対物レンズ５ｄがスピンドルモータ１ｂの中心を通る一定直線上を移動するように導く。フレキシブルプリントケーブル６は、キャリッジ５のスピンドルモータ１ｂ側から引き出されるが、キャリッジ５が最もスピンドルモータ１ｂに接近した場合においてもＵ字曲げ部分６ａがスピンドルモータ１ｂと干渉しないように配置されている。
【００３７】
図４は図３の側面図でありフレキシブルプリントケーブル６のＵ字の形状を表している。フレキシブルプリントケーブル６はカバー４と光ディスク筐体３に挟まれている。Ｕ字曲げ部６ａは光ディスクとの干渉を避けるためにスピンドルモータの光ディスク装着面より薄くなるような折り返しにしており、加えてピックアップモジュール１のディスク側の面にはカバー４がもうけられている為、フレキシブルプリントケーブル６がディスク側に突出して、ディスクと干渉するのを防いでいる。
【００３８】
図５において、メインシャフト１ｃ、サブシャフト１ｄ、はベース１ａに取り付けられ、キャリッジ５がスピンドルモータ１ｂの半径方向を移動できるように導く。またメインシャフト１ｃ、サブシャフト１ｄは、スピンドルモータ１ｂの光ディスク装着面１ｆとキャリッジ５の移動面が平行になるように配置決定されている。ベース１ａはピックアップモジュール１の外形となるフレームであり、キャリッジ５が光ディスクの半径方向へ移動する全範囲においてスペースを形成し、キャリッジ５が光ディスクの最外周部へ移動した際に接触しないように形状付けられている。制御回路を構成する回路基板７はベース１ａに隣接して隣接して設けられており、キャリッジ５から引き出されたフレキシブルプリントケーブル６の端部は回路基板７に結線されている。
【００３９】
図６はピックアップモジュール１の厚みすなわちピックアップモジュール１の底面からスピンドルモータ頂点１ｇまでの厚みが４．８ｍｍ〜７．１ｍｍである状態を示している。
【００４０】
図７において、光ディスク８はスピンドルモータ１ｂに装着されキャリッジ５の移動面とは平行にある。
【００４１】
フレキシブルプリントケーブル６のＵ字曲げ部６ａの位置はキャリッジ５の移動とともに移動するが、フレキシブルプリントケーブル６上のＵ字曲げ部６ａの移動範囲６ｃでの幅Ａはほぼ一定である。これによりキャリッジ５の全移動範囲において、フレキシブルプリントケーブル６からカバー４や光ディスク筐体３に加えられる反力Ｆ、Ｆ’（図４に示す）が一定になる。
【００４２】
フレキシブルプリントケーブル６の導体パターンは光ピックアップ９から引き出され、延設部６ｃを経てＵ字曲げ部６ａの移動範囲６ｃから回路基板への接続部６ｂへつながる。延設部６ｃはキャリッジの移動方向に沿って配置されており、Ｕ字曲げ部６ａの移動範囲６ｄを含む。また、回路基板上の接続部分の位置関係から、Ｕ字曲げ部６ａの移動範囲６ｄの端部で導体パターンの折り返し６ｅが設けられており、フレキシブルプリントケーブル６にはＵ字曲げ部６ａの移動範囲６ｄの端部で移動範囲６ｄに対して回路基板側に凹部６ｆが形成されている。すなわち延設部６ｃと回路基板への接続部６ｂの間に前記キャリッジ５の移動方向に沿って凹部６ｆが設けられている。これにより、キャリッジ５の全移動範囲において、フレキシブルプリントケーブル６からカバー４や光ディスク筐体３に加えられる反力Ｆ、Ｆ’（図４に示す）が一定になるとともに、回路基板の配置自由度が増し、より小型化した設計を行なう事ができる。
【００４３】
またフレキシブルプリントケーブル６には、回路基板７への接続部６ｂよりもドライブ外周側に引っかかりを防止する突出部６ｇが設けられている。突出部６ｇは、キャリッジ５が最もディスク外周側にあっても、少なくとも一部が光ピックアップ９を覆うように設定されていて、フレキシブルプリントケーブル６の端部６ｈがキャリッジ５に引っかかるのを防止している。
【００４４】
図８に示すフレキシブルプリントケーブルの別の形態において、フレキシブルプリントケーブル６は、スリット６ｉ等により分けられたフレキシブルプリントケーブル分割部６ｊを備えている。フレキシブルプリントケーブル分割部６ｊを形成するスリット６ｉは、細長状の貫通孔で、その長手方向はキャリッジ５の移動方向に略平行、またはフレキシブルプリントケーブル６上の導体パターンに沿っている。このようにする事により、図４でフレキシブルプリントケーブル６を折り曲げる事によってフレキシブルプリントケーブル６からカバー４や光ディスク筐体３に加えられる反力Ｆ、Ｆ’が低減される。反力Ｆ、Ｆ’が低減されると、キャリッジ５が移動する際の負荷が低減される為、キャリッジ５が移動する動作が安定する。
【００４５】
本実施例ではスリットは１個所であるが、略平行に並んだ複数のスリットであっても良い。この場合、キャリッジ５が移動する動作が安定するとともに、フレキシブルプリントケーブル６の設計自由度が向上する。また、一直線上もしくは一曲線上に複数のスリットが並んだ形状であっても良い。この場合、キャリッジが移動する動作が安定するとともに、キャリッジ移動時のフレキシブルプリントケーブル６の動きを安定させる事ができる。あるいはこのような形状が複合して形成されていてもよい。これらの場合、幅広のフレキシブルプリントケーブル６で生じ易いねじれを吸収できる。したがって、折り曲げる事によって生じる反力Ｆ、Ｆ’とともに、ねじれによって生じる反力も低減できる１つあるいは複数のスリット６ｉにより形成されるフレキシブルプリントケーブル分割部６ｉの長手方向範囲は、キャリッジ５の全移動範囲において、フレキシブルプリントケーブル５のＵ字曲げ部分６ａが形成される範囲以上である事が望ましい。
【００４６】
また、フレキシブルプリントケーブル分割部６ｊがキャリッジ５側端部まで伸びて、分離されていても良い。
【００４７】
図９に示すフレキシブルプリントケーブル６の別の形態において、キャリッジ５からは複数のフレキシブルプリントケーブル６が引き出されており、その一部は対物レンズ５ｄを中心としてアクチュエータ５ａとは反対側からスピンドルモータ１ｂに近づく方向へ引き出された内周側引き出しフレキシブルプリントケーブル１０を構成し、残りの一部は対物レンズ５ｄを中心としてアクチュエータ側からスピンドルモータ１ｂに離れる方向へ向けて引き出された外周側引き出しフレキシブルプリントケーブル１１を構成する。キャリッジ５から引き出された前記２本のフレキシブルプリントケーブルは共にＵ字に折り返す構成になっている。これにより、内周側引き出しフレキシブルプリントケーブル１０のみでは、ケーブル幅が足りず必要なケーブルパターンが形成できない場合に対応できる。本実施の形態では外周側引き出しフレキシブルプリントケーブル１１は対物レンズ５ｄを中心としてアクチュエータ側からスピンドルモータ１ｂと離れる方向へ向けて引き出されているが、対物レンズ５ｄを中心としてアクチュエータ側からスピンドルモータ１ｂと近づく方向へ引き出されてもよい。
【００４８】
以上のような一例に示す光ピックアップモジュールは、薄型で小型軽量の構成に有効であり、特に厚みが４．８ｍｍ〜７．１ｍｍの薄型で小型軽量の構成に有効である。
【００４９】
【発明の効果】
以上のように本発明は、スピンドルモータと、光学系を構成するキャリッジと、制御回路を構成する回路基板と、前記キャリッジを構成する部材に前記回路基板から電力供給と信号伝送を行うフレキシブルプリントケーブルにより構成される光ピックアップ装置であって、前記フレキシブルプリントケーブルは、前記キャリッジ内の対物レンズを中心として前記キャリッジ内アクチュエータの反対側かつ前記キャリッジの前記スピンドルモータ側から前記スピンドルモータ側へ向かって引き出された後、Ｕ字状に折り返して前記キャリッジの前記スピンドルモータとは反対側に引き出されて前記回路基板に接続されるとともに、前記光ピックアップ装置の厚みは４．８ｍｍ〜７．１ｍｍとした。
【００５０】
これにより、ピックアップモジュール内におけるフレキシブルプリントケーブルの配置が光ディスクの内周部に置かれるため、ピックアップモジュールは光ディスクの外周方向に対してキャリッジとベース間のスペースを最小限にでき、ピックアップ装置全体を小型軽量にすることができる。
【図面の簡単な説明】
【図１】本発明の一実施の形態における光ピックアップの斜視図
【図２】図１におけるアクチュエータの要部詳細図
【図３】本発明の一実施の形態におけるピックアップモジュールの要部斜視図
【図４】図３の側面図でありフレキシブルプリントケーブルのＵ字の形状を表わす図
【図５】本発明の一実施の形態におけるピックアップモジュールの斜視図
【図６】図５の側面図
【図７】本発明の一実施の形態におけるピックアップモジュール裏面斜視図
【図８】本発明の一実施の形態におけるピックアップモジュールのフレキシブルプリントケーブルの別の形態を示す図
【図９】本発明の一実施の形態におけるピックアップモジュールのフレキシブルプリントケーブルの別の形態を示す図
【図１０】従来の光ディスク装置の斜視図
【図１１】従来の光ピックアップモジュールの斜視図
【図１２】従来の光ピックアップモジュールの分解斜視図
【符号の説明】
１  ピックアップモジュール
１ａ  ベース
１ｂ  スピンドルモータ
１ｃ  メインシャフト
１ｄ  サブシャフト
１ｅ  ベース１ａのフレキシブルプリントケーブルに近接する部分
１ｆ  光ディスク装着面
１ｇ  スピンドルモータ頂点
２  トレイ
３  光ディスク筐体
４  カバー
５  キャリッジ
５ａ  アクチュエータ
５ｂ  光レーザ
５ｃ  調整用ボリューム
５ｄ  対物レンズ
５ｅ  ワイヤ
５ｆ  コイル
５ｇ  サスペンションホルダー
５ｈ  ボビン
６  フレキシブルプリントケーブル
６ａ  Ｕ字曲げ部
６ｂ  回路基板への接続部
６ｃ  延設部
６ｄ  Ｕ字曲げ部の移動範囲
６ｅ  導体パターンの折り返し
６ｆ  凹部
６ｇ  突出部
６ｈ  端部
６ｉ  スリット
６ｊ  フレキシブルプリントケーブル分割部
７  回路基板
８  光ディスク
９  光ピックアップ
１０  内周側引き出しフレキシブルプリントケーブル
１１  外周側引き出しフレキシブルプリントケーブル
【図１】
2004355772.tif 000003
【図２】
2004355772.tif 000004
【図３】
2004355772.tif 000005
【図４】
2004355772.tif 000006
【図５】
2004355772.tif 000007
【図６】
2004355772.tif 000008
【図７】
2004355772.tif 000009
【図８】
2004355772.tif 000010
【図９】
2004355772.tif 000011
【図１０】
2004355772.tif 000012
【図１１】
2004355772.tif 000013
【図１２】
2004355772.tif 000014